(57)【要約】【課題】警報システムに属した警報器のスピーカの断線を居住者に確実に気付かせるようにする。【解決手段】警報器１は、警報を音声出力するスピーカ１３ａと、定期的にスピーカ１３ａの断線を試験する試験部１４と、前記試験によってスピーカの断線を検出すると、スピーカ１３ａの断線を通知する制御信号を他の警報器１に送信する一方、他の警報器からスピーカの断線を通知する制御信号を受信すると、対応した故障警報を音声出力させる制御部１７とを備える。【選択図】図１
2010108026.tif 000002
【特許請求の範囲】
【請求項１】
制御信号を相互に伝送し、いずれかの警報器が監視対象の異常を検知したときには、複数の警報器から連動して警報を出力する警報システムにおいて、
前記警報器は、
警報を音声出力するスピーカと、
定期的に前記スピーカの断線を試験する試験部と、
前記試験によってスピーカの断線を検出すると、スピーカの断線を通知する制御信号を他の警報器に送信する一方、他の警報器からスピーカの断線を通知する制御信号を受信すると、対応した故障警報を音声出力させる制御部とを備える警報システム。
【請求項２】
請求項１において、
前記警報器は、
所定の範囲で人体を感知する人感センサを更に備え、
前記制御部は、他の警報器からスピーカの断線を通知する制御信号を受信すると、前記人感センサが人体を検知した時点で、前記故障警報を音声出力させる警報システム。
【請求項３】
請求項１において、
前記警報器は、
時刻情報を保持、更新する時計部を更に備え、
前記制御部は、他の警報器からスピーカの断線を通知する制御信号を受信すると、前記時刻情報に基づいて、予め設定された時刻に、前記故障警報を音声出力させる警報システム。
【発明の詳細な説明】
【技術分野】
【０００１】
本発明は、連動して警報を音声出力する複数の警報器で構成された警報システムにおける、警報器のスピーカの断線を報知する技術に関する。
【背景技術】
【０００２】
警報器におけるスピーカの断線を検出する従来技術の例として、次の特許文献１、特許文献２には、警報出力部に試験用の信号を入力して、スピーカの出力信号を測定することで、スピーカの断線を検出する技術が記載されている。また、特許文献３には、検知部の断線等の試験結果を表示灯でブリンキング表示する技術が記載されている。
【特許文献１】特開2002-170183号公報
【特許文献２】特開2006-184960号公報
【特許文献３】特開2005-267466号公報
【発明の開示】
【発明が解決しようとする課題】
【０００３】
住宅用火災警報器等では、確実な警報動作を期するために、警報器のスピーカの断線を自己診断して居住者に通知することが望ましい、そのためには、例えば、上記特許文献１、２に記載されているスピーカの断線を検出する技術と、特許文献３に記載されている試験結果を表示灯でブリンキング表示する技術とを組み合わせることが考えられる。
【０００４】
しかしながら、ブリンキング表示だけでは、居住者が気付かないこともあり、また、たとえ気付いたとしても、なぜブリンキング表示しているのかわからないことも想定される。そこで、本発明は、警報器のスピーカの断線を居住者に確実に気付かせることができる警報システムの提供を課題とする。
【課題を解決するための手段】
【０００５】
上記課題を解決するため、本発明による警報システムは、制御信号を相互に伝送し、いずれかの警報器が監視対象の異常を検知したときには、複数の警報器から連動して警報を出力する警報システムであって、前記警報器は、警報を音声出力するスピーカと、定期的に前記スピーカの断線を試験する試験部と、前記試験によってスピーカの断線を検出すると、スピーカの断線を通知する制御信号を他の警報器に送信する一方、他の警報器からスピーカの断線を通知する制御信号を受信すると、対応した故障警報を音声出力させる制御部とを備える。
【０００６】
更に望ましい構成では、前記警報器は、所定の検知範囲で人体を感知する人感センサを更に備え、前記制御部は、他の警報器からスピーカの断線を通知する制御信号を受信すると、前記人感センサが人体を検知した時点で、前記断線警報を音声出力させる。
【０００７】
あるいは、前記警報器は、時刻情報を保持、更新する時計部を更に備え、前記制御部は、他の警報器からスピーカの断線を通知する制御信号を受信すると、前記時刻情報に基づいて、予め設定された時刻に、前記断線警報を音声出力させる。
【発明の効果】
【０００８】
従来気付きにくかったスピーカの断線故障を、他の警報器１が出力する故障警報を聞くだけで、直ちに知ることができる。また、スピーカが断線故障した警報器として、そのときに故障警報を音声出力していない警報器を特定できる。
【０００９】
人感センサ、あるいは時計部を備えた構成では、居住者が傍にいるとき、あるいは居住者の生活時間帯に故障警報を出力するので、居住者に感知器の故障をより確実に気付かせることができる。
【発明を実施するための最良の形態】
【００１０】
本発明は、相互に制御信号を伝送し、いずれかの警報器が監視対象の異常を検知したときには、複数の警報器から連動して警報を出力するワイヤレス警報システムに好適である。このような警報システムとしては、例えば、住宅用の火災警報システム、ガス漏れ警報システム、防犯警報システム等、他の警報システムがあるが、以下、火災警報システムを例として説明する。
【００１１】
図１は、本発明を適用した警報器の概略構成を示したブロック図、図２は、その警報器の外観を示した斜視図である。
【００１２】
警報器１は、例えば監視対象として火災による熱、あるいは煙を検知する検知部１１と、警報停止操作等を受け付ける操作部１２と、警報をスピーカ１３ａから音声出力する音声出力部１３と、検知部１１の汚損やスピーカ１３ａの断線等を試験する試験部１４と、アンテナ１５ａを有し、他の警報器１との間で制御信号を送受信する通信部１５と、発光ダイオード等からなる表示部１６と、時刻情報を保持、更新する時計部１８と、所定の範囲で人体を感知する人感センサと、これらの各部を制御する制御部１７とを備えている。
【００１３】
なお、１１ａは検知部１１を保護する保護カバー、１２ａは操作部１２に設けられた押し釦、１２ｂは押釦１２ａと連動する引紐、１３ｂは音声出力部１３を構成するスピーカ１３ａのための通音孔を示している。
【００１４】
図３は、本発明によるワイヤレス警報システムの構成図である。警報器１には、親警報器１＃１と子警報器１＃２〜１＃４とがある。親警報器１＃１と子警報器１＃２〜１＃４とでは、基本構成はほぼ共通であるが、制御部１７が実行する制御プログラム等に違いがある。また、無線による制御信号の伝送は、常に、親警報器１＃１と、子警報器１＃２〜１＃４との間で行われる。なお、警報器１のそれぞれには、固有の識別情報が予め割り当てられており、親警報器１＃１は、自己の識別情報と、子警報器１＃２〜１＃４の全ての識別情報を登録、保持している。一方、子警報器１＃２〜１＃４は、自己の識別情報と、親警報器１＃１の識別情報とを登録、保持している。これらの識別情報は、制御信号の伝送において、送信元、送信先を特定するために使用される。
【００１５】
なお、制御信号の伝送は、例えば小電力セキュリティーシステム標準規格に従って行われる。この規格では、無線局は親機、子機によって構成され、４００ＭＨｚ帯を４８チャネルに区分したチャネルの１つを選択して、親機と子機とが信号を相互に伝送するようになっている。本発明では、全ての警報器１において、同一のチャネルが予め選択されていることを想定している。
【００１６】
警報器１による基本動作は次の通りである。すなわち、子警報器１＃２〜１＃４は、監視対象の異常を検知すると、警報を出力すると共に、親警報器１＃１に対して連動要求信号を送信する。親警報器１＃１は、その連動要求信号を受信すると、警報を連動して出力すると共に、他の子警報器１＃２〜１＃４に対して連動指令信号を送信する。また、親警報器１＃１は、自ら監視対象の異常を検知すると、警報を出力すると共に、全ての子警報器１＃２〜１＃４に対して連動指令信号を送信する。そして、子警報器１＃２〜１＃４は、親警報器１＃１が送信した連動指令信号を受信すると、警報を連動して出力する。
【００１７】
その後、警報器１が警報を出力している間に、子警報器１＃２〜１＃４で警報停止操作を受け付けると、子警報器１＃２〜１＃４は、親警報器１＃１に対して警報停止要求信号を送信する。親警報器１＃１は、その警報停止要求信号を受信すると、所定時間、警報を停止すると共に、他の子警報器１＃２〜１＃４に対して警報停止指令信号を送信する。また、親警報器１＃１は、自ら警報停止操作を受け付けると、所定時間、警報を停止すると共に、全ての子警報器１＃２〜１＃４に対して警報停止指令信号を送信する。そして、子警報器１＃２〜１＃４は、親警報器１＃１が送信した警報停止指令信号を受信すると、所定時間、警報を停止する。
【００１８】
また、警報器１は、本発明の特徴として、試験部１４によって検知部１１の汚損やスピーカ１３ａの断線等を試験して、異常があれば、対応した警報を音声出力する機能を有している。この自己診断の動作は次の通りである。すなわち、子警報器１＃２〜１＃４は、時計部の時刻情報に基づいて、定期的に試験部１４を作動させて故障を検知すると、表示部および音声出力部１３から、故障の種別に対応した故障警報を出力すると共に、親警報器１＃１に対して、故障の種別を特定した故障警報要求信号を送信する。また、親警報器１＃１は、その故障警報要求信号を受信すると、表示部および音声出力部１３から、その故障の種別に対応した故障警報を連動して出力すると共に、他の子警報器１＃２〜１＃４に対して故障警報指令信号を送信する。また、親警報器１＃１は、定期的に試験部１４を作動させて故障を検知すると、表示部および音声出力部１３から、故障の種別に対応した故障警報を出力すると共に、全ての子警報器１＃２〜１＃４に対して、故障の種別に対応した故障警報指令信号を送信する。これに対して、子警報器１＃２〜１＃４は、親警報器１＃１が送信した連動指令信号を受信すると、表示部および音声出力部１３から、故障の種別に対応した故障警報を出力する。
【００１９】
その後、警報器１が故障警報を出力している間に、子警報器１＃２〜１＃４で警報停止操作を受け付けると、子警報器１＃２〜１＃４は、親警報器１＃１に対して警報停止要求信号を送信する。親警報器１＃１は、その警報停止要求信号を受信すると、故障警報を停止すると共に、他の子警報器１＃２〜１＃４に対して警報停止指令信号を送信する。また、親警報器１＃１は、自ら警報停止操作を受け付けると、故障警報を停止すると共に、全ての子警報器１＃２〜１＃４に対して警報停止指令信号を送信する。これに対して、子警報器１＃２〜１＃４は、親警報器１＃１が送信した警報停止指令信号を受信すると、故障警報を停止する。
【００２０】
このように、本発明によれば、警報器１は、試験部１４によって検知部１１の汚損やスピーカ１３ａの断線等を試験して、異常があれば、対応した警報を自器および他の警報器から音声出力することができる。ただし、故障がスピーカ１３ａの断線であれば、その警報器は、故障警報を音声出力できない（表示部による表示は可能）ので、他の警報器からのみ、故障警報を音声出力することになる。
【００２１】
故障警報は、例えば、自器の検知部１１が故障していれば、「この警報器の検知部に異常が発生しています。点検してください」、他の警報器の検知部１１が故障していれば、「他の警報器の検知部１１に異常が発生しています。点検してください」というようなメッセージである。また、スピーカ１３ａの断線であれば、「他の警報器のスピーカが断線しています。点検して下さい」というようなメッセージである。
【００２２】
従って、居住者は、そのような故障警報によって、警報器１にどのような異常が発生しているかを直ちに把握して、適切な対処をすることが可能になる。特に、従来気付きにくかったスピーカ１３ａの断線についても、他の警報器１が出力する故障警報によって、その発生を把握し、また、故障した警報器１として、そのときに故障警報を音声出力していない警報器１を特定できる。
【００２３】
図４は、子警報器１＃２〜１＃４の一つにスピーカ１３ａの断線が発生した場合の、警報システムの動作を示したフロー図で、親警報器１＃１、子警報器１＃２〜１＃４が連携した動作している。
【００２４】
ここでは、子警報器１＃２において、スピーカ１３ａの断線が生じ、その故障を自己診断により検出している（Ｓ１０１、Ｓ１０２）。そのため、子警報器１＃２は、表示部の点滅を開始すると共に、親警報器１＃１に対して、故障警報要求信号を送信している（Ｓ１０３、Ｓ１０４）。その故障警報要求信号を受信した親警報器１＃１は、表示部の点滅と、故障警報の出力とを開始すると共に、子警報器１＃２〜１＃４に対して、故障警報指令信号を送信している（Ｓ２０１〜Ｓ２０３）。その故障警報指令信号を受信した子警報器１＃３、１＃４は、表示部の点滅と、故障警報の出力とを開始している（Ｓ３０１、Ｓ３０２、Ｓ４０１、Ｓ４０２）。その後、子警報器１＃３は、警報停止操作を受け付けたことにより、親警報器１＃１に対して、警報停止要求信号を送信している（Ｓ３０３、Ｓ３０４）。その警報停止要求信号を受信した親警報器１＃１は、表示部を消灯し、故障警報を停止すると共に、子警報器１＃２〜１＃４に対して、警報停止指令信号を送信している（Ｓ２０４〜Ｓ２０６）。その警報停止指令信号を受信した子警報器１＃２は、表示部を消灯している（Ｓ１０５、Ｓ１０６）。また、子警報器１＃３、１＃４は、表示部を消灯し、故障警報を停止している（Ｓ３０５、Ｓ３０６、Ｓ４０３、Ｓ４０４）。
【００２５】
また、更に望ましい変形例では、警報器１は、所定の範囲で人体を感知する人感センサ１９を更に備え、制御部１７は、人感センサ１９が人体を検知した時点で、故障警報を音声出力させるようにしてもよい。
【００２６】
この構成では、子警報器１＃２〜１＃４は、自器の故障を検出すると、親警報器１＃１に対して故障警報要求信号を送信すると共に、故障警報の出力待機状態となって、人感センサ１９が人体を感知した時点で、故障警報を出力する（スピーカ１３ａの断線であれば、表示部の点滅のみ行う）。また、親警報器１＃１から故障警報指令信号を受信した場合も、故障警報の出力待機状態となって、人感センサ１９が人体を感知した時点で、故障警報を出力する。一方、親警報器１＃１は、子警報器１＃２〜１＃４から故障警報要求信号を受信すると、子警報器１＃２〜１＃４に対して故障警報指令信号を送信すると共に、故障警報の出力待機状態となって、人感センサ１９が人体を感知した時点で、故障警報を出力する。また、自器の故障を検出すると、子警報器１＃２〜１＃４に対して故障警報指令信号を送信すると共に、故障警報の出力待機状態となって、人感センサ１９が人体を感知した時点で、故障警報を出力する。なお、子警報器１＃２〜１＃４は、故障警報出力待機状態のときに、親警報器１＃１から警報停止指令信号を受信すると、故障警報出力待機状態を解除する。また、親警報器１＃１は、故障警報出力待機状態のときに、子警報器１＃２〜１＃４から警報停止要求信号を受信すると、あるいは自器で警報停止操作を受け付けると、子警報器１＃２〜１＃４に対して警報停止指令信号を送信すると共に、故障警報出力待機状態を解除する。
【００２７】
更に変形例として、警報器１は、時刻情報を保持、更新する時計部１８を更に備え、制御部１７は、時刻情報に基づいて、予め設定された時刻に、故障警報を音声出力させるようにしてもよい。この変形例は、上記変形例の人感センサ１９を時計部１８に置き換えたもので、動作は基本的に共通している。すなわち、この変形例における予め設定された時刻になった時点での動作は、上記変形例において人感センサ１９が人体を感知した時点での動作に相当する。なお、故障警報を出力すべき時刻は、居住者の生活時間帯に合わせておく。
【００２８】
これらの変形例では、居住者が傍にいるとき、あるいは居住者の生活時間帯に故障警報を出力するので、居住者に感知器の故障をより確実に気付かせることができる。
【図面の簡単な説明】
【００２９】
【図１】本発明を適用した警報器の概略構成を示したブロック図である。
【図２】本発明を適用した警報器の外観を示した斜視図である。
【図３】本発明によるワイヤレス警報システムの構成図である。
【図４】警報器の一つにスピーカの断線が発生した場合の、警報システムの動作を示したフロー図である。
【符号の説明】
【００３０】
１          警報器
１３ａ      スピーカ
１４        試験部
１７  制御部
１８        時計部
１９        人感センサ
【図１】
2010108026.tif 000003
【図２】
2010108026.tif 000004
【図３】
2010108026.tif 000005
【図４】
2010108026.tif 000006